(57)【要約】【課題】チェック対象者の健康状態を予め定められたチェックタイミングで確実にチェックすることが可能な画像形成装置を提供する。【解決手段】画像形成装置は、情報処理装置から、健康チェックシートの印刷データを受信する通信部と、印刷データを記憶する記憶部と、健康チェックシートを印刷する印刷部と、記入済チェックシートを読み取って画像データを生成する画像読取部と、画像データの情報処理装置への送信を通信部に行わせる制御部と、を備え、制御部は、チェックタイミングになったと判断したとき、健康チェックシートの印刷を印刷部に行わせる。【選択図】図４
2018207156.tif 000002
【特許請求の範囲】
【請求項１】
画像形成装置のユーザーであるチェック対象者の健康状態をチェックする者により管理される情報処理装置から、前記チェック対象者の健康状態をチェックするために作成された健康チェックシートの印刷データを受信する通信部と、
前記健康チェックシートの印刷データを記憶する記憶部と、
前記印刷データに基づき前記健康チェックシートを印刷する印刷部と、
前記チェック対象者がチェック項目に対する回答を記入した前記健康チェックシートである記入済チェックシートを読み取って前記記入済チェックシートの画像データを生成する画像読取部と、
前記通信部、前記印刷部および前記画像読取部を制御するとともに、前記画像読取部が前記記入済チェックシートを読み取ると、前記記入済チェックシートの画像データの前記情報処理装置への送信を前記通信部に行わせる制御部と、を備え、
前記制御部は、前記チェック対象者の健康状態をチェックするタイミングとして予め定められたチェックタイミングになったか否かを判断し、前記チェックタイミングになったと判断したとき、前記健康チェックシートの印刷を前記印刷部に行わせることを特徴とする画像形成装置。
【請求項２】
前記制御部は、前記チェック対象者が前記画像形成装置にログインしたとき、前記チェック対象者が前記画像形成装置に前回ログインしてから今回ログインするまでに経過した経過期間が予め定められた第１閾値期間を超えていれば、前記チェックタイミングになったと判断することを特徴とする請求項１に記載の画像形成装置。
【請求項３】
人物の存在を検知するための人体検知部を備え、
前記制御部は、前記人体検知部の出力に基づき前記人体検知部の検知範囲に人物が存在するか否かの検知を行い、前記検知範囲に人物が存在することを検知したとき、前記検知範囲に人物が存在することを前回検知してから今回検知するまでに経過した経過期間が予め定められた第２閾値期間を超えていれば、前記チェックタイミングになったと判断することを特徴とする請求項１または２に記載の画像形成装置。
【請求項４】
前記検知範囲に存在する人物を撮影するカメラを備え、
前記制御部は、前記検知範囲に人物が存在することを検知したとき、前記検知範囲に存在する人物の撮影を前記カメラに行わせ、前記カメラが撮影した撮影画像に基づき前記検知範囲に存在する人物を特定し、前記検知範囲に存在する人物が前記チェック対象者であり、前記検知範囲に前記チェック対象者が存在することを前回検知してから今回検知するまでに経過した経過期間が前記第２閾値期間を超えていれば、前記チェックタイミングになったと判断することを特徴とする請求項３に記載の画像形成装置。
【請求項５】
前記画像形成装置の周辺温度を検知するための温度検知部を備え、
前記制御部は、前記温度検知部の出力に基づき周期的に前記周辺温度の検知を行い、前記周辺温度を検知したとき、今回検知した前記周辺温度と前回検知した前記周辺温度との温度差が予め定められた閾値温度を超えていれば、前記チェックタイミングになったと判断することを特徴とする請求項１〜４のいずれか１項に記載の画像形成装置。
【請求項６】
前記記憶部は、前記チェック対象者に処方された薬の使用完了日を記憶し、
前記制御部は、前記使用完了日になったとき、前記チェックタイミングになったと判断することを特徴とする請求項１〜５のいずれか１項に記載の画像形成装置。
【請求項７】
報知を行う報知部を備え、
前記制御部は、前記印刷部が前記健康チェックシートを印刷したとき、前記健康チェックシートを印刷した旨の報知を前記報知部に行わせることを特徴とする請求項１〜６のいずれか１項に記載の画像形成装置。
【請求項８】
画面を表示し、操作を受け付ける操作パネルを備え、
前記制御部は、前記チェックタイミングになったと判断したとき、前記健康チェックシートを印刷するか否かを選択する操作の受け付けを前記操作パネルに行わせ、前記操作パネルが前記健康チェックシートを印刷する旨を受け付けた場合に前記健康チェックシートの印刷を前記印刷部に行わせ、前記操作パネルが前記健康チェックシートを印刷しない旨を受け付けた場合には前記健康チェックシートの印刷を前記印刷部に行わせないことを特徴とする請求項１〜７のいずれか１項に記載の画像形成装置。
【請求項９】
請求項１〜８のいずれか１項に記載の画像形成装置と、
前記チェック対象者の健康状態をチェックする者により管理され、前記健康チェックシートの印刷データを前記画像形成装置に送信する情報処理装置と、を備えることを特徴とする画像形成システム。
【発明の詳細な説明】
【技術分野】
【０００１】
本発明は、印刷を行う画像形成装置および画像形成システムに関する。
【背景技術】
【０００２】
従来、老人や要介護者を支援するためのシステムが知られている。このようなシステムは、たとえば、特許文献１に開示されている。
【０００３】
特許文献１のシステムは、生活状況確認業者によって運営されるサーバーを備える。サーバーは、契約者宅（老人や要介護者の住宅）の電気、ガスおよび水道などの公共サービスの使用状況データを受信する。そして、サーバーは、使用状況データに基づき公共サービスの使用状況が正常であるか異常であるかを判定し、異常であるとき、その旨を生活状況確認業者に報知する。
【先行技術文献】
【特許文献】
【０００４】
【特許文献１】特開２００３−６３３７号公報
【発明の概要】
【発明が解決しようとする課題】
【０００５】
老人や要介護者の健康状態を管理するには、老人や要介護者の健康状態を予め定められたタイミング（たとえば、数日間隔）でチェックする必要がある。たとえば、チェック対象者（老人や要介護者）を病院などの医療関連施設へ定期的に訪問させれば、チェック対象者の健康状態を容易に管理することができる。あるいは、チェック対象者に健康状態の定期連絡を行わせてもよい。しかし、チェック対象者によっては、医療関連施設への訪問が困難な場合がある。また、定期連絡を忘れる場合がある。
【０００６】
ここで、特許文献１では、チェック対象者による公共サービスの使用状況が正常であるか異常であるかについては把握することができる。しかし、チェック対象者の健康状態まではチェックすることができない。チェック対象者の健康状態をチェックするには、チェック対象者への連絡が必要となり、チェック対象者の健康状態を管理する者にとっては利便性が悪い。
【０００７】
本発明は、上記課題を解決するためになされたものであり、チェック対象者の健康状態を予め定められたチェックタイミングで確実にチェックすることが可能な画像形成装置および画像形成システムを提供することを目的とする。
【課題を解決するための手段】
【０００８】
上記目的を達成するために、本発明の第１の局面による画像形成装置は、画像形成装置のユーザーであるチェック対象者の健康状態をチェックする者により管理される情報処理装置から、チェック対象者の健康状態をチェックするために作成された健康チェックシートの印刷データを受信する通信部と、健康チェックシートの印刷データを記憶する記憶部と、印刷データに基づき健康チェックシートを印刷する印刷部と、チェック対象者がチェック項目に対する回答を記入した健康チェックシートである記入済チェックシートを読み取って記入済チェックシートの画像データを生成する画像読取部と、通信部、印刷部および画像読取部を制御するとともに、画像読取部が記入済チェックシートを読み取ると、記入済チェックシートの画像データの情報処理装置への送信を通信部に行わせる制御部と、を備える。制御部は、チェック対象者の健康状態をチェックするタイミングとして予め定められたチェックタイミングになったか否かを判断し、チェックタイミングになったと判断したとき、健康チェックシートの印刷を印刷部に行わせる。
【０００９】
本発明の第２の局面による画像形成システムは、上記画像形成装置と、チェック対象者の健康状態をチェックする者により管理され、健康チェックシートの印刷データを画像形成装置に送信する情報処理装置と、を備える。
【００１０】
本発明の構成では、チェック対象者の健康状態をチェックするタイミングとして予め定められたチェックタイミングになったときに印刷部が健康チェックシートを印刷することによって、健康チェックシートへの記入および記入済チェックシートの提出が必要なことをチェック対象者に認識させることができる。これにより、予め定められたチェックタイミングになったとき、健康チェックシートへの記入および記入済チェックシートの提出をチェック対象者に行わせることができる。なお、この構成では、記入済チェックシートの読み取り（記入済チェックシートの画像データの生成）を画像読取部が行い、記入済チェックシートの画像データの情報処理装置への送信を通信部が行うので、チェック対象者は在宅のまま記入済チェックシートを提出することができる。その結果、予め定められたチェックタイミングになったときにチェック対象者の健康状態を確実にチェックすることができる。
【発明の効果】
【００１１】
本発明の構成では、チェック対象者の健康状態を予め定められたチェックタイミングで確実にチェックすることができる。
【図面の簡単な説明】
【００１２】
【図１】本発明の一実施形態による画像形成システムの全体構成を示す図
【図２】本発明の一実施形態による画像形成システムに含まれる複合機の構成を示す図
【図３】本発明の一実施形態による画像形成システムに含まれるサーバーの構成を示す図
【図４】本発明の一実施形態による画像形成システムにおいて行われるチェックタイミング判断処理の流れを示す図
【図５】本発明の一実施形態による画像形成システムにおいて行われるチェックシート提出処理の流れを示す図
【図６】本発明の一実施形態による画像形成システムにおいて行われる自動更新処理の流れを示す図
【発明を実施するための形態】
【００１３】
＜画像形成システムの全体構成＞
図１に示すように、本実施形態の画像形成システム１００は、医療関連サービス（チェック対象者の健康状態を在宅のままチェックするサービス）の提供を支援するシステムであり、複合機２００と、サーバー３００とを備える。複合機２００およびサーバー３００は、インターネットなどの広域ネットワークＮＴを介して互いに通信可能に接続される。
【００１４】
複合機２００は、住宅、福祉施設（たとえば、老人ホーム）、および、公共施設（たとえば、公民館）などに設置される。そして、複合機２００のユーザー（定期的な健康状態のチェックが必要なユーザー）に医療関連サービスが提供される。言い換えると、医療関連サービスを受けるチェック対象者（医療関連サービスの提供を希望する者）によって複合機２００が使用される。なお、複合機２００は「画像形成装置」に相当する。
【００１５】
サーバー３００は、医療関連サービスを提供するサービス提供元である病院によって管理される。たとえば、サービス提供元の病院には、医師が使用する医師端末４００（パーソナルコンピューターなど）が設置される。医師端末４００は、ＬＡＮなどのネットワークを介して、サーバー３００に通信可能に接続される。この構成では、サーバー３００および医師端末４００を含むシステムが「情報処理装置」に相当する。なお、サーバー３００の機能を医師端末４００に搭載する場合には、サーバー３００が省略されてもよい。
【００１６】
＜画像形成システムに含まれる各機器の構成＞
図２に示すように、複合機２００は、複合機制御部２０を備える。なお、複合機制御部２０は「制御部」に相当する。複合機制御部２０は、ＣＰＵ２０１およびメモリー２０２を含む。ＣＰＵ２０１は、制御用のプログラムおよびデータに基づき、複合機２００の各部を制御するための処理を行う。メモリー２０２は、ＣＰＵ２０１を動作させるための制御用のプログラムおよびデータを記憶する。
【００１７】
また、複合機２００は、シートを読み取る機能、および、シートに画像を印刷する機能を有する。すなわち、複合機２００は、画像読取部２１および印刷部２２を備える。複合機制御部２０は、画像読取部２１および印刷部２２に接続され、画像読取部２１および印刷部２２の各動作を制御する。
【００１８】
画像読取部２１は、シートを光学的に読み取り、当該読み取ったシートの画像データを生成する読取ジョブを実行する。印刷部２２は、画像データに基づき画像を形成し、当該形成した画像をシートに印刷する印刷ジョブを実行する。印刷部２２の印刷方式は、レーザ方式であってもよいし、インクジェット方式であってもよい。
【００１９】
また、複合機２００は、操作パネル２３を備える。操作パネル２３は、複合機制御部２０に接続される。複合機制御部２０は、操作パネル２３の表示動作を制御する。また、複合機制御部２０は、操作パネル２３に対して行われた操作を検知する。たとえば、複合機制御部２０は、複合機２００にログインしたチェック対象者を認識し、当該認識したチェック対象者に応じて、操作パネル２３の表示色や文字サイズ、画面レイアウトの設定を変更する。
【００２０】
操作パネル２３は、タッチパネルディスプレイおよびハードウェアキーを含む。タッチパネルディスプレイは、ソフトウェアキーを配した画面を表示し、ソフトウェアキーに対するタッチ操作を受け付ける。ハードウェアキーは、操作パネル２３に複数設けられる。ハードウェアキーとしては、印刷ジョブや読取ジョブの実行指示を受け付けるスタートキーなどがある。
【００２１】
たとえば、操作パネル２３は、メッセージを表示し、複合機２００の状態などをチェック対象者に報知する。しかし、チェック対象者によっては、操作パネル２３に表示されるメッセージが見え難い場合がある。
【００２２】
このため、複合機２００には、スピーカーやメモリーなどを含む音声出力部２４が設置される。音声出力部２４のメモリーは、音声データを記憶する。そして、音声出力部２４は、スピーカーを介して、音声データに基づく音声を出力する。複合機制御部２０は、音声出力部２４に接続され、音声出力部２４を制御する。
【００２３】
たとえば、操作パネル２３にメッセージが表示されたとき、当該メッセージに対応する音声が音声出力部２４から出力される。また、印刷ジョブや読取ジョブの終了後、ジョブが終了した旨の音声が音声出力部２４から出力される。あるいは、操作パネル２３に対する操作が行われたときに、複合機２００の使用方法や複合機２００の状態を報知するための音声が音声出力部２４から出力されてもよい。
【００２４】
また、複合機２００は、複合機記憶部２５を備える。なお、複合機記憶部２５は「記憶部」に相当する。特に限定されないが、複合機記憶部２５は、ＲＯＭ（ＥＥＰＲＯＭなど）やＨＤＤなどの不揮発性の記憶デバイスを含む。
【００２５】
複合機記憶部２５は、複合機制御部２０に接続される。複合機制御部２０は、複合機記憶部２５へのデータの書き込みおよび複合機記憶部２５からのデータの読み出しを行う。
【００２６】
たとえば、複合機記憶部２５には、健康チェックシートを印刷するための印刷データＤ１が記憶される。また、複合機記憶部２５には、チェック対象者の健康状態をチェックするタイミングとして予め定められたチェックタイミングを示すチェックタイミング情報ＣＴが記憶される。複合機記憶部２５に記憶されるデータや情報については、後に詳細に説明する。
【００２７】
また、複合機２００は、複合機通信部２６を備える。なお、複合機通信部２６は「通信部」に相当する。複合機通信部２６は、複合機２００を広域ネットワークＮＴに接続するためのインターフェースであり、通信用回路、通信用メモリーおよび通信用コネクターなどを含む。
【００２８】
複合機通信部２６は、複合機制御部２０に接続される。複合機制御部２０は、複合機通信部２６が行う通信を制御する。すなわち、複合機制御部２０は、複合機通信部２６を介して広域ネットワークＮＴにアクセスし、サーバー３００との間でデータや情報を送受信する。
【００２９】
たとえば、サーバー３００から複合機２００へは、健康チェックシートの印刷データＤ１が送信される。すなわち、複合機通信部２６は、健康チェックシートの印刷データＤ１を受信する。そして、複合機制御部２０は、複合機通信部２６が健康チェックシートの印刷データＤ１を受信すると、健康チェックシートの印刷データＤ１を複合機記憶部２５に記憶させる。さらに、サーバー３００から複合機２００へは、チェックタイミング情報ＣＴも送信される。言い換えると、複合機制御部２０は、複合機通信部２６を介して、サーバー３００からデータや情報を取得する。
【００３０】
また、複合機２００は、複合機２００の近傍における人物の存在を検知するための人体検知部２７を備える。人体検知部２７は、複合機制御部２０に接続される。複合機制御部２０は、人体検知部２７の出力に基づき、複合機２００の近傍（人体検知部２７の検知範囲）における人物の存在を検知する。
【００３１】
たとえば、人体検知部２７は、検知範囲が互いに異なる複数の人感センサーを含む。人感センサーとしては、赤外線センサー、可視光センサーおよび超音波センサーなどを用いることができる。そして、人体検知部２７は、複合機２００から所定距離の範囲内に人物が入ると、人物の存在を検知したことを示す信号（人物検知信号）を出力する。なお、複合機２００から数十ｃｍ〜数ｍ（たとえば、１ｍ程度）の範囲内に人物が存在する場合に人物検知信号を出力するよう人体検知部２７の検知範囲が設定される。
【００３２】
また、複合機２００は、カメラ２８を備える。カメラ２８は、複合機制御部２０に接続される。複合機制御部２０は、カメラ２８を制御し、適切なタイミングでカメラ２８に撮影を行わせる。
【００３３】
カメラ２８は、人体検知部２７の検知範囲が撮影範囲となるよう複合機２００に設置される。すなわち、カメラ２８は、人体検知部２７の検知範囲に存在する人物を撮影する。複合機制御部２０は、人体検知部２７の出力に基づき人体検知部２７の検知範囲に人物が存在することを検知したとき、カメラ２８に撮影を行わせる。これにより、複合機２００の近傍に存在する人物がカメラ２８によって撮影される。
【００３４】
たとえば、複合機記憶部２５には、チェック対象者の顔画像（カメラ２８によって事前撮影された画像）が基準顔画像として予め記憶される。そして、複合機制御部２０は、カメラ２８が撮影した撮影画像と基準顔画像とに基づき、人体検知部２７の検知範囲に存在する人物がチェック対象者であるか否かを判断する。たとえば、複合機制御部２０は、カメラ２８の撮影画像内の顔画像を抽出する抽出処理を行う。ここでの抽出処理は公知の画像認識技術（顔認識技術）を用いて行われる。そして、複合機制御部２０は、抽出処理で抽出した顔画像と基準顔画像との類似度が予め定められた閾値を超えていれば、人体検知部２７の検知範囲に存在する人物がチェック対象者であると判断する。
【００３５】
また、複合機２００は、複合機２００の周辺温度を検知するための温度検知部２９を備える。温度検知部２９は、複合機２００の周辺温度に応じて出力を変化させる温度センサーを含み、複合機制御部２０に接続される。複合機制御部２０は、温度検知部２９の出力に基づき、複合機２００の周辺温度を検知する。
【００３６】
図３に示すように、サーバー３００は、サーバー制御部３０、サーバー記憶部３１およびサーバー通信部３２を備える。サーバー制御部３０は、サーバー記憶部３１およびサーバー通信部３２に接続される。
【００３７】
サーバー制御部３０は、ＣＰＵ３０１およびメモリー３０２を含む。ＣＰＵ３０１は、制御用のプログラムおよびデータに基づき、サーバー３００の各部を制御するための処理を行う。メモリー３０２は、ＣＰＵ３０１を動作させるための制御用のプログラムおよびデータを記憶する。
【００３８】
サーバー記憶部３１は、ＨＤＤなど大容量の記憶デバイスを含む。サーバー制御部３０は、サーバー記憶部３１へのデータの書き込みおよびサーバー記憶部３１からのデータの読み出しを行う。たとえば、サーバー記憶部３１は、複合機２００に送信されるデータや情報（健康チェックシートＣＳの印刷データＤ１やチェックタイミング情報ＣＴなど）を記憶する。
【００３９】
サーバー通信部３２は、サーバー３００と外部機器とを通信可能に接続するためのインターフェースであり、通信用回路、通信用メモリーおよび通信用コネクターなどを含む。サーバー３００には、複合機２００および医師端末４００が外部機器として通信可能に接続される。サーバー制御部３０は、サーバー通信部３２が行う通信を制御する（サーバー通信部３２を介して外部機器と通信する）。
【００４０】
たとえば、サーバー制御部３０は、医師端末４００からサーバー通信部３２が受信したデータや情報をサーバー記憶部３１に一旦記憶させ、サーバー通信部３２を介して、サーバー記憶部３１に記憶されたデータや情報を複合機２００に送信する。また、サーバー制御部３０は、複合機２００からサーバー通信部３２が受信したデータや情報をサーバー記憶部３１に記憶させ、サーバー通信部３２を介して、サーバー記憶部３１に記憶されたデータや情報を医師端末４００に送信する。
【００４１】
＜医療関連サービス＞
以下、一例として、医療関連サービスの享受に必要な複合機２００が一人住まいの住宅に設置されている場合（当該住宅に居住する人物がチェック対象者である場合）について説明する。
【００４２】
＜健康チェックシートの印刷＞
サービス提供元の医師は、チェック対象者の健康状態をチェックするための健康チェックシート（問診票）を作成する。たとえば、健康チェックシートには、複数のチェックボックスが配される。また、健康チェックシートの作成には医師端末４００が用いられる。
【００４３】
健康チェックシートの作成後、健康チェックシートの印刷データＤ１が医師端末４００からサーバー３００に送信される。健康チェックシートの印刷データＤ１には、付属情報として、対象者情報が付加される。対象者情報には、チェック対象者が使用する複合機２００のアドレスおよびチェック対象者のＩＤ（たとえば、名前、性別および年齢）が含まれる。
【００４４】
たとえば、デフォルトの健康チェックシートが予め準備される。そして、サービス提供元の医師は、チェック対象者の健康状態（たとえば、チェック対象者のカルテに記載の内容）に基づき、デフォルトの健康チェックシートに対してチェック項目（質問項目）を追加したり削除したりする。すなわち、健康チェックシートのチェック項目の内容は、チェック対象者の健康状態によって変わる。
【００４５】
サーバー制御部３０は、サーバー通信部３２が健康チェックシートの印刷データＤ１を医師端末４００から受信すると、健康チェックシートの印刷データＤ１をサーバー記憶部３１に一旦記憶させる。このとき、サーバー制御部３０は、付属情報として付加された複合機２００のアドレスを送信先として認識する。その後、サーバー制御部３０は、サーバー通信部３２を用いて、送信先の複合機２００に健康チェックシートの印刷データＤ１を送信する。
【００４６】
たとえば、サーバー制御部３０は、医師端末４００から健康チェックシートの印刷データＤ１を受信した後、直ちに、健康チェックシートの印刷データＤ１を複合機２００に送信する。ただし、送信タイミングを示す情報（日付や時刻を示す情報）が付属情報として健康チェックシートの印刷データＤ１に付加される場合がある。この場合、サーバー制御部３０は、付属情報で示される送信タイミングになったとき、健康チェックシートの印刷データＤ１を複合機２００に送信する。あるいは、サーバー制御部３０は、健康チェックシートの印刷データＤ１の送信要求を複合機２００から受けたとき、健康チェックシートの印刷データＤ１を複合機２００に送信する。
【００４７】
複合機制御部２０は、健康チェックシートの印刷データＤ１を複合機通信部２６が受信すると、健康チェックシートの印刷データＤ１を複合機記憶部２５に一旦記憶させる。この後、複合機制御部２０は、複合機記憶部２５に記憶された健康チェックシートの印刷データＤ１に基づく印刷ジョブを印刷部２２に行わせる。すなわち、印刷部２２は、健康チェックシートを印刷する。
【００４８】
ここで、複合機制御部２０は、健康チェックシートの印刷データＤ１を複合機記憶部２５に記憶させて以降、チェック対象者の健康状態をチェックするタイミングとして予め定められたチェックタイミングになったか否かを判断するチェックタイミング判断処理を行う。そして、複合機制御部２０は、チェックタイミング判断処理の結果、チェックタイミングになったと判断したとき、健康チェックシートの印刷を印刷部２２に行わせる。たとえば、チェックタイミングは第１チェックタイミングと第２チェックタイミングとに分類される。
【００４９】
第１チェックタイミングは、印刷部２２による健康チェックシートの印刷が定期的（たとえば、数日〜数十日ごと）に行われるよう設定される。たとえば、第１チェックタイミングが「１ヶ月」に設定されていれば、複合機制御部２０は、１ヶ月に１回のタイミングで健康チェックシートの印刷を印刷部２２に行わせる。
【００５０】
なお、第１チェックタイミングはサービス提供元の医師によって設定され、第１チェックタイミングの設定内容を示すチェックタイミング情報ＣＴがサーバー３００から複合機２００に送信される。そして、複合機制御部２０は、チェックタイミング情報ＣＴに基づき、第１チェックタイミングになったか否かを判断する。
【００５１】
第２チェックタイミングは、チェック対象者による複合機２００の使用状況、チェック対象者の行動、チェック対象者の居住地域の環境、および、チェック対象者に処方された薬の残量、などによって決まる。複合機制御部２０は、所定条件（第１条件、第２条件、第３条件および第４条件のうち少なくとも１つ）が満たされたとき、第２チェックタイミングになったと判断する。そして、第２チェックタイミングになったと判断すると、複合機制御部２０は、第１チェックタイミングになっているか否かにかかわらず、印刷部２２に健康チェックシートの印刷を行わせる。
【００５２】
（第１条件）
複合機制御部２０は、チェック対象者が複合機２００にログインしたとき、ログインしたチェック対象者が複合機２００に前回ログインしてから今回ログインするまでに経過した経過期間である第１経過期間を求める。そして、複合機制御部２０は、第１経過期間が予め定められた第１閾値間を超えているか否かを判断する。たとえば、第１閾値期間は、数日〜数十日に設定される。
【００５３】
複合機制御部２０は、第１経過期間が第１閾値期間を超えている場合、第１条件（所定条件）を満たすと判断する。すなわち、複合機制御部２０は、第２チェックタイミングになったと判断する。そして、このとき、複合機制御部２０は、印刷部２２に健康チェックシートの印刷を行わせる。
【００５４】
（第２条件）
複合機制御部２０は、人体検知部２７の出力に基づき人体検知部２７の検知範囲に人物が存在することを検知したとき、人体検知部２７の検知範囲に存在する人物の撮影をカメラ２８に行わせる。また、複合機制御部２０は、カメラ２８の撮影画像に基づき人体検知部２７の検知範囲に存在する人物を特定し、人体検知部２７の検知範囲に存在する人物がチェック対象者であれば、チェック対象者の存在を前回検知してから今回検知するまでに経過した経過期間である第２経過期間を求める。そして、複合機制御部２０は、第２経過期間が予め定められた第２閾値期間を超えているか否かを判断する。たとえば、第２閾値期間は、数日〜数十日に設定される（第１閾値期間および第２閾値期間が互いに同じ期間であってもよい）。
【００５５】
複合機制御部２０は、第２経過期間が第２閾値期間を超えている場合、第２条件（所定条件）を満たすと判断する。すなわち、複合機制御部２０は、第２チェックタイミングになったと判断する。そして、このとき、複合機制御部２０は、印刷部２２に健康チェックシートの印刷を行わせる。
【００５６】
変形例として、人体検知部２７の検知範囲に存在する人物をカメラ２８で撮影せずに、第２条件を満たすか否かを複合機制御部２０が判断するよう構成してもよい。この場合、複合機制御部２０は、人体検知部２７の出力に基づき人体検知部２７の検知範囲に人物が存在することを検知したとき、人体検知部２７の検知範囲に人物が存在することを前回検知してから今回検知するまでの経過期間が第２閾値期間を超えていれば、第２条件を満たすと判断する（第２チェックタイミングになったと判断する）。なお、人体検知部２７の検知範囲に存在する人物をカメラ２８で撮影しない場合には、複合機２００からカメラ２８を省略してもよい。
【００５７】
（第３条件）
複合機制御部２０は、温度検知部２９の出力に基づき周期的（たとえば、数日〜十数日ごと）に複合機２００の周辺温度の検知を行う。また、複合機制御部２０は、複合機２００の周辺温度を検知したとき、今回検知した周辺温度と前回検知した周辺温度との温度差を求める。そして、複合機制御部２０は、温度差が予め定められた閾値温度を超えているか否かを判断する。
【００５８】
複合機制御部２０は、温度差が閾値温度を超えている場合、第３条件（所定条件）を満たすと判断する。すなわち、複合機制御部２０は、第２チェックタイミングになったと判断する。そして、このとき、複合機制御部２０は、印刷部２２に健康チェックシートの印刷を行わせる。
【００５９】
なお、複合機２００が設置された地域の天候（晴雨や温湿度など）を示す天候情報をインターネットから取得し、当該取得した天候情報に基づき、第３条件を満たすか否かの判断を複合機制御部２０が行うよう構成してもよい。この場合には、温度だけでなく、湿度や晴雨が前回の検知時点と今回の検知時点とで大きく異なっているときに、健康チェックシートの印刷が行われてもよい。
【００６０】
（第４条件）
複合機記憶部２５は、チェック対象者に薬が処方されている場合、チェック対象者に処方された薬の使用完了日を示す処方箋情報を記憶する。なお、処方箋情報は、サーバー３００から複合機２００に送信され、複合機記憶部２５に記憶される。
【００６１】
複合機制御部２０は、処方箋情報に基づき使用完了日を認識し、使用完了日になったとき、第４条件が満たされたと判断する。すなわち、複合機制御部２０は、第２チェックタイミングになったと判断する。そして、このとき、複合機制御部２０は、印刷部２２に健康チェックシートの印刷を行わせる。
【００６２】
以下に、図４に示すフローチャートを参照し、複合機制御部２０により行われるチェックタイミング判断処理の流れについて説明する。
【００６３】
ステップＳ１において、複合機制御部２０は、第１チェックタイミングになったか否かを判断する。その結果、第１チェックタイミングになったと複合機制御部２０が判断した場合には、ステップＳ２に移行する。ステップＳ２に移行すると、複合機制御部２０は、健康チェックシートの印刷を印刷部２２に行わせる。
【００６４】
たとえば、複合機制御部２０は、健康チェックシートの印刷に際して、健康チェックシートの印刷データＤ１に基づき、チェック対象者の視力をチェックするための視力チェック用画像が印刷すべき画像として含まれているか否かを判断する。そして、視力チェック用画像が含まれていると判断したとき、複合機制御部２０は、視力チェック用画像の一部が他の部分よりも薄い濃度となるよう印刷濃度を設定する。これにより、視力チェック用画像のうち濃度の薄い部分をチェック対象者が正常に視認することができたか否かに基づき、チェック対象者の視力をチェックすることができる。
【００６５】
健康チェックシートの印刷後、ステップＳ３において、複合機制御部２０は、健康チェックシートを印刷した旨の報知を操作パネル２３に行わせる。たとえば、操作パネル２３は、健康チェックシートを印刷した旨のメッセージを配したダイアログボックスをタッチパネルディスプレイにポップアップ表示する。この構成では、操作パネル２３が「報知部」に相当する。
【００６６】
あるいは、複合機制御部２０は、健康チェックシートを印刷した旨の報知を音声出力部２４に行わせる。このとき、音声出力部２４は、健康チェックシートを印刷した旨の音声を出力する。この構成では、音声出力部２４が「報知部」に相当する。
【００６７】
ステップＳ１において、第１チェックタイミングになっていないと複合機制御部２０が判断した場合には、ステップＳ４に移行する。ステップＳ４に移行すると、複合機制御部２０は、第２チェックタイミングになったか否かを判断する。すなわち、複合機制御部２０は、所定条件（第１〜第４条件の少なくとも１つ）が満たされたか否かを判断する。その結果、第２チェックタイミングになったと複合機制御部２０が判断した場合には、ステップＳ２に移行し、第２チェックタイミングになっていないと複合機制御部２０が判断した場合には、ステップＳ１に移行する。
【００６８】
変形例として、チェックタイミングになったときに、健康チェックシートを印刷するか否かの選択をチェック対象者から受け付けるよう構成してもよい。たとえば、複合機制御部２０は、チェックタイミングになったと判断すると、健康チェックシートを印刷するか否かを選択する選択操作をチェック対象者から受け付けるための選択画面を操作パネル２３に表示させる。このとき、操作パネル２３が選択画面を表示したことをチェック対象者に認識させるため、音声出力部２４から警告音を出力してもよい。
【００６９】
この構成では、複合機制御部２０は、操作パネル２３が健康チェックシートを印刷する旨を受け付けた場合にのみ、健康チェックシートの印刷を印刷部２２に行わせる。すなわち、操作パネル２３が健康チェックシートを印刷しない旨を受け付けた場合には、印刷部２２による健康チェックシートの印刷は行われない。
【００７０】
なお、チェック対象者が複数人存在し、複数人のチェック対象者が複合機２００を共用する場合がある。たとえば、複合機２００が福祉施設や公共施設に設置される場合には、複数人のチェック対象者によって複合機２００が共用される。
【００７１】
この場合、複合機記憶部２５には、健康チェックシートの印刷データＤ１がチェック対象者ごとに記憶される（複数人のチェック対象者にそれぞれ対応する複数の健康チェックシートの印刷データＤ１が複合機記憶部２５に記憶される）。また、チェック対象者ごとにチェックタイミングが予め定められる。
【００７２】
そして、複合機制御部２０は、複数人のチェック対象者のいずれかに対応するチェックタイミングになったとき、チェックタイミングになったチェック対象者を認識し、当該認識したチェック対象者に対応する健康チェックシートの印刷を印刷部２２に行わせる。なお、健康チェックシートには、対応するチェック対象者の名前などが印刷される。このため、複合機２００から出力された健康チェックシートが他人に持ち去られることはない。
【００７３】
＜記入済チェックシートの提出＞
複合機制御部２０は、チェック項目に対する回答が記入された健康チェックシート（以下、記入済チェックシートと称する）をサービス提供元の病院に提出するチェックシート提出処理を行う。複合機制御部２０によるチェックシート提出処理は、健康チェックシートの印刷後に行われる。
【００７４】
以下に、図５に示すフローチャートを参照し、複合機制御部２０により行われるチェックシート提出処理の流れについて説明する。図５に示すフローチャートのスタートは、印刷部２２による健康チェックシートの印刷が終了したときである。
【００７５】
ステップＳ１１において、複合機制御部２０は、健康チェックシートのチェック項目に対する回答の記入を要求する要求報知を操作パネル２３および音声出力部２４の少なくとも一方に行わせる。また、複合機制御部２０は、要求報知として、複合機２００で記入済チェックシートを読み取るよう促す報知も操作パネル２３および音声出力部２４の少なくとも一方に行わせる。これにより、チェック対象者は、健康チェックシートに回答を記入する。そして、チェック対象者は、記入済チェックシートを読取対象とした読取ジョブの実行指示を複合機２００に与える（複合機２００に記入済チェックシートをセットし操作パネル２３のスタートキーを押下する）。
【００７６】
ステップＳ１２において、複合機制御部２０は、読取ジョブの実行を指示するスタート操作（操作パネル２３のスタートキーに対する押下操作）を操作パネル２３が受け付けたか否かを判断する。その結果、操作パネル２３がスタート操作を受け付けたと複合機制御部２０が判断した場合には、ステップＳ１３に移行し、操作パネル２３がスタート操作を受け付けていないと複合機制御部２０が判断した場合には、ステップＳ１１に移行する。
【００７７】
ステップＳ１３において、複合機制御部２０は、画像読取部２１に読取ジョブを実行させる。そして、ステップＳ１４において、複合機制御部２０は、読取ジョブの実行により得られた画像データに基づき、画像読取部２１が読み取った読取対象が記入済チェックシートであるか否かを判断する。その結果、画像読取部２１が記入済チェックシートを読み取ったと複合機制御部２０が判断した場合には、ステップＳ１５に移行し、画像読取部２１が記入済チェックシートを読み取っていないと複合機制御部２０が判断した場合には、ステップＳ１１に移行する。
【００７８】
なお、読取対象が記入済チェックシートであった場合には、画像読取部２１によって記入済チェックシートの画像データＤ２（図２参照）が生成される。複合機制御部２０は、記入済チェックシートの画像データＤ２に対して各種画像処理（たとえば、ＰＤＦデータに変換する処理など）を行い、画像処理を施した記入済チェックシートの画像データＤ２を複合機記憶部２５に一旦記憶させる。
【００７９】
ステップＳ１５に移行すると、複合機制御部２０は、複合機通信部２６を介して、記入済チェックシートの画像データＤ２をサーバー３００に送信する。これにより、サービス提供元の病院への健康チェックシート（記入済チェックシート）の提出が完了する。
【００８０】
＜健康チェックシートの更新＞
サーバー制御部３０は、サーバー通信部３２が記入済チェックシートの画像データＤ２を受信すると、記入済チェックシートの画像データＤ２をサーバー記憶部３１に一旦記憶させる。そして、サーバー制御部３０は、サーバー通信部３２を介して、記入済チェックシートの画像データＤ２を医師端末４００に送信する。
【００８１】
サービス提供元の医師は、記入済チェックシートを確認し、チェック対象者の現在の健康状態を把握する。そして、サービス提供元の医師は、健康チェックシートの内容が現在の健康状態に応じたものとなるよう健康チェックシートを更新する。
【００８２】
たとえば、サーバー制御部３０は、前回受信した記入済チェックシート（ここでは、第１シートと称する）および今回受信した記入済チェックシート（ここでは、第２シートと称する）の各画像データＤ２を比較し、第１シートの記載内容と第２シートの記載内容とが異なっているか否かを判断する。このとき、サーバー制御部３０は、所定の画像認識処理（文字認識処理など）を行うことによって記載内容の違いを認識する。
【００８３】
そして、サーバー制御部３０は、第１シートの記載内容と第２シートの記載内容とが異なっていると判断したとき、その旨を医師端末４００に通知する。第１シートの記載内容と第２シートの記載内容とが同じである場合にも、その旨が医師端末４００に通知されてもよい。また、記載内容が異なっている箇所を示す情報が医師端末４００に送信されてもよい。このような通知が医師端末４００に対して行われると、記入済チェックシートの内容を確認しなくても、チェック対象者に対するケアが直ちに必要か否か（健康チェックシートの更新が必要か否か）を判断することができるので、医師の利便性が向上する。
【００８４】
更新後の健康チェックシートの印刷データＤ１は、医師端末４００からサーバー３００に送信される。サーバー制御部３０は、サーバー通信部３２が更新後の健康チェックシートの印刷データＤ１を受信すると、更新後の健康チェックシートの印刷データＤ１をサーバー記憶部３１に一旦記憶させる。そして、サーバー制御部３０は、サーバー通信部３２を介して、更新後の健康チェックシートの印刷データＤ１を複合機２００に送信する。
【００８５】
複合機制御部２０は、複合機通信部２６が更新後の健康チェックシートの印刷データＤ１を受信すると、健康チェックシートの印刷データＤ１の書き換えを行う。すなわち、複合機制御部２０は、複合機記憶部２５に記憶された既存の健康チェックシートの印刷データＤ１を削除し、更新後の健康チェックシートの印刷データＤ１を複合機記憶部２５に記憶させる。
【００８６】
ここで、複合機２００が健康チェックシートを自動的に更新する自動更新処理を行うよう構成してもよい。この構成では、複合機制御部２０は、記入済チェックシートの画像データＤ２に基づき記入済チェックシートの記載内容を認識する所定の画像認識処理（ＯＣＲ技術を用いた文字認識処理など）を行う。
【００８７】
その後、たとえば、複合機制御部２０は、記入済チェックシートの複数のチェックボックスのうちチェックされたチェックボックスを認識する。そして、複合機制御部２０は、所定チェックボックスがチェックされていれば、更新条件が満たされていると判断する。更新条件が満たされていると判断した場合、複合機制御部２０は、予め定められたチェック項目を追加した健康チェックシートの印刷データＤ１を生成する。あるいは、複合機制御部２０は、既存のチェック項目から予め定められたチェック項目を削除した健康チェックシートの印刷データＤ１を生成する。
【００８８】
なお、複合機２００が行う自動更新処理と同様の自動更新処理をサーバー３００が行うよう構成してもよい。この場合には、複合機２００による自動更新処理が行われなくてもよい。
【００８９】
以下に、図６に示すフローチャートを参照し、複合機制御部２０により行われる自動更新処理の流れについて説明する。図６に示すフローチャートのスタートは、画像読取部２１による記入済チェックシートの読み取りが終了したときである。
【００９０】
ステップＳ２１において、複合機制御部２０は、記入済チェックシートの画像データＤ２に基づき記入済チェックシートの記載内容を認識し、更新条件が満たされているか否かを判断する。その結果、更新条件が満たされていると複合機制御部２０が判断した場合には、ステップＳ２２に移行し、更新条件が満たされていないと複合機制御部２０が判断した場合には、本フローは終了する。
【００９１】
ステップＳ２２に移行すると、複合機制御部２０は、自動更新処理を行う。その後、ステップＳ２３において、複合機制御部２０は、複合機記憶部２５に記憶された既存の健康チェックシートの印刷データＤ１を更新後の健康チェックシートの印刷データＤに書き換える。
【００９２】
なお、複合機制御部２０により自動更新処理が行われた場合であっても、記入済チェックシートの画像データＤ２は複合機２００からサーバー３００に送信される。そして、サービス提供元の医師によって健康チェックシートが更新され、更新後の健康チェックシートの印刷データＤ１がサーバー３００から複合機２００に送信されると、健康チェックシートの印刷データＤ１が書き換えられる。この場合には、複合機２００により自動更新された印刷データＤ１が医師によって更新された印刷データＤ１に書き換えられることになる。
【００９３】
本実施形態の複合機２００（画像形成装置）は、上記のように、複合機２００のユーザーであるチェック対象者の健康状態をチェックする者（医療関連サービスのサービス提供元）により管理されるサーバー３００（情報処理装置）から、チェック対象者の健康状態をチェックするために作成された健康チェックシートの印刷データＤ１を受信する複合機通信部２６（通信部）と、健康チェックシートの印刷データＤ１を記憶する複合機記憶部２５（記憶部）と、健康チェックシートの印刷データＤ１に基づき健康チェックシートを印刷する印刷部２２と、チェック対象者がチェック項目に対する回答を記入した健康チェックシートである記入済チェックシートを読み取って記入済チェックシートの画像データＤ２を生成する画像読取部２１と、複合機通信部２６、印刷部２２および画像読取部２１を制御するとともに、画像読取部２１が記入済チェックシートを読み取ると、記入済チェックシートの画像データＤ２のサーバー３００への送信を複合機通信部２６に行わせる複合機制御部２０（制御部）と、を備える。複合機制御部２０は、チェック対象者の健康状態をチェックするタイミングとして予め定められたチェックタイミングになったか否かを判断し、チェックタイミングになったと判断したとき、健康チェックシートの印刷を印刷部２２に行わせる。
【００９４】
本実施形態の構成では、チェック対象者の健康状態をチェックするタイミングとして予め定められたチェックタイミングになったときに印刷部２２が健康チェックシートを印刷することによって、健康チェックシートへの記入および記入済チェックシートの提出が必要なことをチェック対象者に認識させることができる。これにより、チェックタイミングになったとき、健康チェックシートへの記入および記入済チェックシートの提出をチェック対象者に行わせることができる。なお、この構成では、記入済チェックシートの読み取り（記入済チェックシートの画像データＤ２の生成）を画像読取部２１が行うとともに、記入済チェックシートの画像データＤ２のサーバー３００への送信を複合機通信部２６が行うので、チェック対象者は在宅のまま記入済チェックシートを提出することができる。その結果、予め定められたチェックタイミングになったときにチェック対象者の健康状態を確実にチェックすることができる。
【００９５】
また、本実施形態では、上記のように、複合機制御部２０は、チェック対象者が複合機２００にログインしたとき、チェック対象者が複合機２００に前回ログインしてから今回ログインするまでに経過した経過期間が予め定められた第１閾値期間を超えていれば、チェックタイミングになったと判断する（健康チェックシートの印刷を印刷部２２に行わせる）。さらに、複合機制御部２０は、人体検知部２７の検知範囲に人物が存在することを検知したとき、人体検知部２０の検知範囲に存在する人物の撮影をカメラ２８に行わせ、カメラ２８が撮影した撮影画像に基づき人体検知部２７の検知範囲に存在する人物を特定し、人体検知部２７の検知範囲に存在する人物がチェック対象者であり、人体検知部２７の検知範囲にチェック対象者が存在することを前回検知してから今回検知するまでに経過した経過期間が予め定められた第２閾値期間を超えていれば、チェックタイミングになったと判断する（健康チェックシートの印刷を印刷部２２に行わせる）。これにより、長期間の外出からの帰宅時など、チェック対象者の健康状態が変化している可能性があるときに、健康チェックシートへの記入および記入済チェックシートの提出をチェック対象者に行わせることができ、その時点におけるチェック対象者の健康状態をチェックすることができる。
【００９６】
また、本実施形態では、上記のように、複合機制御部２０は、複合機２００の周辺温度を検知したとき、今回検知した周辺温度と前回検知した周辺温度との温度差が予め定められた閾値温度を超えていれば、チェックタイミングになったと判断する（健康チェックシートの印刷を印刷部２２に行わせる）。これにより、チェック対象者の居住地域においてチェック対象者の健康状態に影響を及ぼすほどの天候変化があったときに、健康チェックシートへの記入および記入済チェックシートの提出をチェック対象者に行わせることができ、その時点におけるチェック対象者の健康状態をチェックすることができる。
【００９７】
また、本実施形態では、上記のように、複合機制御部２０は、チェック対象者に処方された薬の使用完了日になったとき、チェックタイミングになったと判断する（健康チェックシートの印刷を印刷部２２に行わせる）。これにより、チェック対象者に処方した薬の使用完了日になったとき、健康チェックシートへの記入および記入済チェックシートの提出をチェック対象者に行わせることができ、その時点におけるチェック対象者の健康状態をチェックすることができる。たとえば、チェック対象者に処方した薬の効果が分かる。
【００９８】
また、本実施形態では、上記のように、複合機制御部２０は、印刷部２２が健康チェックシートを印刷したとき、健康チェックシートを印刷した旨の報知を操作パネル２３や音声出力部２４に行わせる。これにより、健康チェックシートが印刷されていることにチェック対象者が気付かない、という不都合が生じるのを抑制することができる。
【００９９】
また、本実施形態では、上記のように、複合機制御部２０は、チェックタイミングになったと判断したとき、健康チェックシートを印刷するか否かを選択する操作の受け付けを操作パネル２３に行わせ、操作パネル２３が健康チェックシートを印刷する旨を受け付けた場合に健康チェックシートの印刷を印刷部２２に行わせ、操作パネル２３が健康チェックシートを印刷しない旨を受け付けた場合には健康チェックシートの印刷を印刷部２２に行わせない。たとえば、チェック対象者によっては、チェックタイミングになったとき、電話などを用いてサービス提供元の病院に自身の健康状態を連絡する場合がある。この場合には、健康チェックシートの印刷を敢えて行う必要はない。仮に、健康チェックシートを印刷した場合には、用紙が無駄になる。このため、チェックタイミングになったときに健康チェックシートを印刷するか否かをチェック対象者から受け付けるのが好ましい。
【０１００】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１０１】
２０  制御部
２１  画像読取部
２２  印刷部
２３  操作パネル
２５  複合機記憶部（記憶部）
２６  複合機通信部（通信部）
２７  人体検知部
２８  カメラ
２９  温度検知部
１００  画像形成システム
２００  複合機（画像形成装置）
３００  サーバー（情報処理装置）
４００  医師端末（情報処理装置）
Ｄ１  印刷データ
Ｄ２  画像データ
【図１】
2018207156.tif 000003
【図２】
2018207156.tif 000004
【図３】
2018207156.tif 000005
【図４】
2018207156.tif 000006
【図５】
2018207156.tif 000007
【図６】
2018207156.tif 000008